(57)【要約】【課題】サンプルの品質を定量的かつ高精度に評価することができる光画像計測装置を提供する。【解決手段】本発明に係る光画像計測装置は、対象物の第１測定領域において光スポットを繰り返し走査した後、前記対象物の前記第１測定領域とは異なる第２測定領域において前記光スポットを繰り返し走査することにより、前記第１測定領域と前記第２測定領域それぞれにおける前記対象物の時間的変動を反映した観察画像を生成する。【選択図】図３
2020086204.tif 000002
【特許請求の範囲】
【請求項１】
対象物の画像を取得する光画像計測装置であって、
光を出射する光源、
前記対象物に対して前記光を集光して光スポットを生成する集光光学系、
前記光スポットを前記対象物の分割された第１および第２測定領域において走査する走査部、
前記対象物から反射した反射光または前記対象物を透過した透過光を検出する検出部、
前記検出部が検出した光強度に基づき前記対象物の画像を生成する画像生成部、
を備え、
前記走査部は、前記対象物の前記第１測定領域において前記光スポットを繰り返し走査した後、前記第２測定領域において前記光スポットを繰り返し走査し、
前記画像生成部は、前記第１測定領域を繰り返し走査することで前記検出部が検出した光強度の時系列データを用いて前記第１測定領域における前記対象物の時間的変動を反映した前記画像を生成し、
前記画像生成部は、前記第２測定領域を繰り返し走査することで前記検出部が検出した光強度の時系列データを用いて前記第２測定領域における前記対象物の時間的変動を反映した前記画像を生成する
ことを特徴とする光画像計測装置。
【請求項２】
前記対象物は３つ以上の測定領域に分割されていることを特徴とする請求項１記載の光画像計測装置。
【請求項３】
前記走査部は、前記対象物の前記第１測定領域において前記光スポットを繰り返し走査した直後、連続的に前記第２測定領域において前記光スポットを繰り返し走査する
ことを特徴とする請求項１記載の光画像計測装置。
【請求項４】
前記画像生成部は、前記画像のピクセル位置に対応する走査位置ごとに、前記繰り返し走査の過程において得られた光強度の時系列データを取得し、
前記画像生成部は、前記画像のピクセル位置ごとに、前記時系列データを用いて時系列ピクセル値を生成し、
前記画像生成部は、前記画像のピクセル位置ごとに、前記時系列ピクセル値を平均化した平均化ピクセル値を生成し、
前記画像生成部は、前記画像のピクセル位置ごとに、前記時系列ピクセル値と前記平均化ピクセル値を用いて算出した標準偏差画像を生成することにより、前記標準偏差画像において前記対象物の時間的変動を反映する
ことを特徴とする請求項１記載の光画像計測装置。
【請求項５】
前記画像生成部は、前記画像のピクセル位置に対応する走査位置ごとに、前記繰り返し走査の過程において得られた光強度の時系列データを取得し、
前記画像生成部は、前記画像のピクセル位置ごとに、前記時系列データを用いて時系列ピクセル値を生成し、
前記画像生成部は、前記画像のピクセル位置ごとに、前記時系列ピクセル値を用いて算出した平均二乗変位画像を生成することにより、前記平均二乗変位画像において前記対象物の時間的変動を反映する
ことを特徴とする請求項１記載の光画像計測装置。
【請求項６】
前記画像生成部は、前記画像のピクセル位置に対応する走査位置ごとに、前記繰り返し走査の過程において得られた光強度の時系列データを取得し、
前記画像生成部は、前記画像のピクセル位置ごとに、前記時系列データを用いて時系列ピクセル値を生成し、
前記画像生成部は、前記画像のピクセル位置ごとに、前記時系列ピクセル値を周波数成分ごとに分離した周波数成分画像を生成することにより、前記周波数成分画像において前記対象物の時間的変動を反映する
ことを特徴とする請求項１記載の光画像計測装置。
【請求項７】
前記集光光学系は、前記対象物に対して前記光を集束する対物レンズを備え、
前記走査部は、前記対物レンズの位置を駆動することにより前記光スポットの位置を走査するアクチュエータを備える
ことを特徴とする請求項１記載の光画像計測装置。
【請求項８】
前記走査部は、前記光を反射する反射面の角度を変更することにより前記光スポットの位置を走査するミラーを備える
ことを特徴とする請求項１記載の光画像計測装置。
【請求項９】
前記光源はレーザ光源であり、
前記光画像計測装置はさらに、
前記光源から出射されたレーザ光を、前記対象物に対して照射する信号光と照射しない参照光とに分岐する光分岐部、
前記対象物から反射した反射光または前記対象物を透過した透過光を前記参照光と合波することにより、互いに位相関係が異なる３つ以上の干渉光を生成する干渉光学系、
を備える
ことを特徴とする請求項１記載の光画像計測装置。
【請求項１０】
前記対象物は生体の細胞であり、
前記画像生成部は、前記細胞の活性度を表す指標として、前記対象物の時間的変動を反映した前記画像を出力する
ことを特徴とする請求項１記載の光画像計測装置。
【請求項１１】
前記走査部は、前記細胞の細胞内小器官の運動速度よりも速く、前記光スポットを走査する
ことを特徴とする請求項１０記載の光画像計測装置。
【請求項１２】
対象物の画像を取得する光画像計測装置であって、
光を出射する光源、
前記対象物に対して前記光を集光して光スポットを生成する集光光学系、
前記光スポットを走査する走査部、
前記対象物から反射した反射光または前記対象物を透過した透過光を検出する検出部、
前記検出部が検出した光強度に基づき前記対象物の画像を生成する画像生成部、
を備え、
前記走査部は、前記対象物の同じ測定領域において前記光スポットを１００Ｈｚ以上の走査速度で繰り返し走査し、
前記画像生成部は、前記同じ測定領域における前記光スポットの走査毎に前記検出部がそれぞれ検出した光強度を用いて、前記同じ測定領域における前記対象物の時間的変動を反映した前記画像を生成する
ことを特徴とする光画像計測装置。
【請求項１３】
対象物の画像を取得する光画像計測方法であって、
前記対象物の複数に分割された測定領域それぞれに対してレーザ光から出射した光を集光して生成された光スポットを走査するステップ、
前記対象物から反射した反射光または前記対象物を透過した透過光を検出するステップ、
前記ステップにおいて検出した光強度に基づき前記対象物の画像を生成する画像生成ステップ、
を有し、
前記光スポットを走査するステップにおいては、前記対象物の前記複数に分割された所定の測定領域において前記光スポットを繰り返し走査した後、前記所定の測定領域とは異なる別の測定領域において前記光スポットを繰り返し走査し、
前記画像生成ステップにおいては、それぞれの前記分割された測定領域を繰り返し走査することで検出した光強度の時系列データを用いて前記分割された測定領域それぞれにおける前記対象物の時間的変動を反映した前記画像を生成する
ことを特徴とする光画像計測方法。
【発明の詳細な説明】
【技術分野】
【０００１】
本発明は、光を用いて対象物の画像を取得する光画像計測装置に関する。
【背景技術】
【０００２】
幹細胞から作製した組織を損傷部位に移植することにより、損傷した組織や器官の再生や機能回復を実現する再生医療が近年注目されている。ｉＰＳ細胞（ｉｎｄｕｃｅｄ  Ｐｌｕｒｉｐｏｔｅｎｔ  Ｓｔｅｍ  ｃｅｌｌ）の発明にともない、本分野の研究はより活性化しているが、産業化に向けてはまだ様々な課題がある。その課題の１つとして、安全性および有効性を確認するための細胞の非侵襲的な品質検査方法を確立することがある。細胞は同一の培養条件であっても個体ごとに品質がばらつくことがあるので、移植する細胞を検査するためには、抜き取りによる破壊検査ではなく、患者に移植する組織そのものを非侵襲的に検査することが望ましい。非侵襲的評価方法は、移植直前だけでなく培養過程をモニタリングすることができるという利点がある。
【０００３】
現在、非侵襲的な評価方法として位相差顕微鏡による目視評価が実施されているが、定量性の低さや検査者によるバラつきが問題となる。検査者によらない方法として、例えば位相差顕微鏡画像から画像解析によって細胞の形状情報を抽出し、クラスタ分析等によりｉＰＳ細胞の正常度を評価する方法が検討されている。下記特許文献１は、所定の時間間隔で取得された一連の位相差顕微鏡画像から、画像処理によって細胞の活性度を評価する方法について記載している。
【先行技術文献】
【特許文献】
【０００４】
【特許文献１】特開２０１０−０２２３１８号公報
【発明の概要】
【発明が解決しようとする課題】
【０００５】
上記のように細胞形状に基づいた評価方法を用いる場合、（ａ）細胞形状を定量化すること自体が困難であること、（ｂ）状態の違いが必ずしも形状に反映されるとは限らないこと、（ｃ）状態が同じであっても形状が異なる場合もあること、などを考慮すると、細胞品質の定量評価は困難と考えられる。また特許文献１記載の方法は、ｍｓオーダの時間スケールで生じている細胞内小器官の運動を捉えることができないので、細胞活性度を精度よく測定することができない可能性がある。さらにいずれの方法も、位相差顕微鏡画像に基づいて評価するので、細胞シートやスフェロイドのような３次元再生組織の内部を評価することは困難である。
【０００６】
本発明は、上記課題に鑑みてなされたものであり、サンプルの品質を定量的かつ高精度に評価することができる光画像計測装置を提供することを目的とする。
【課題を解決するための手段】
【０００７】
本発明に係る光画像計測装置は、対象物の第１測定領域において光スポットを繰り返し走査した後、前記対象物の前記第１測定領域とは異なる第２測定領域において前記光スポットを繰り返し走査することにより、前記第１測定領域と前記第２測定領域それぞれにおける前記対象物の時間的変動を反映した観察画像を生成する。これにより、従来の顕微鏡よりも高い時間分解能で対象物を観察することが可能となり、対象物の時間的変動をより高い精度で定量的に評価することができる。
【０００８】
１例として、前記対象物上に複数の走査領域をセットするとともに、各前記走査領域を前記測定領域として、前記光スポットを前記測定領域ごとに繰り返し走査することとした。これにより、時間分解能と測定時間を必要に応じて適切に調整することができる。
【０００９】
１例として、対象物の標準偏差画像、平均二乗変位画像、または周波数成分画像を生成することとした。これにより、対象物の時間的変動に関する多様な情報を取得することができる。
【００１０】
１例として、走査光学系として対物レンズを駆動するアクチュエータを用いることとした。これにより、安価で小型な構成で従来の顕微鏡よりも高い時間分解能を達成することができる。
【００１１】
１例として、走査光学系として反射面の角度を駆動可能なミラーを用いることとした。これにより、機械的に安定した構成で光スポットの走査が可能となる。
【００１２】
１例として、レーザ光源から出射されたレーザ光を信号光と参照光に分岐し、対象物からの反射光または透過光を前記参照光と合波することにより、互いに位相関係が異なる３つ以上の干渉光を生成することとした。このような構成とすることにより、深さ方向に高い空間分解能を実現することができるので、３次元組織の内部を評価することが可能となる。
【００１３】
１例として、対象物の同じ測定領域において光スポットを１００Ｈｚ以上の走査速度で繰り返し走査し、前記同じ測定領域における前記対象物の時間的変動を反映した前記画像を生成することとした。これにより、従来の顕微鏡よりも時間分解能が向上するので、対象物の時間的変動をより高い精度で定量的に評価することができる。
【発明の効果】
【００１４】
本発明に係る光画像計測装置によれば、サンプルの品質を高精度かつ非侵襲的に測定することができる。上記した以外の課題、構成、および効果は、以下の実施形態の説明により明らかにされる。
【図面の簡単な説明】
【００１５】
【図１】実施形態１に係る光画像計測装置１００の構成を示す模式図である。
【図２】光スポットを走査する方法の違いを説明する図である。
【図３】観察画像が形成される過程を走査方法ごとに示す図である。
【図４】細胞の通常画像と周波数成分画像の模式図である。
【図５】実施形態２に係る光画像計測装置１００の構成を示す模式図である。
【図６】実施形態３に係る光画像計測装置１００の構成を示す模式図である。
【発明を実施するための形態】
【００１６】
＜実施の形態１：装置構成＞
図１は、本発明の実施形態１に係る光画像計測装置１００の構成を示す模式図である。光源１０１から直線偏光状態で出射されたレーザ光は、コリメートレンズ１０２によって平行光に変換される。λ／２板１０３は、結晶軸方向を調整可能であり、平行光の偏光状態を調整する。偏光ビームスプリッタ１０４は、入射した平行光を信号光（透過成分）と参照光（反射成分）とに分岐する。信号光と参照光の分岐比は、λ／２板１０３により自由に調整することができ、典型的な強度比は１対１である。
【００１７】
偏光ビームスプリッタ１０４を透過した信号光は、ガルバノミラー１０５と１０６からなるスキャンユニット１０７に入射する。スキャンユニット１０７は、ユーザが入力部１３３に入力した内容に基づいて制御部１３４によって制御され、これにより信号光の角度が変化する。スキャンユニット１０７を通過した信号光は、走査レンズ１０８とチューブレンズ１０９からなるビームエキスパンダ１１０によってビーム径を拡大された後、信号光ミラー１１１によって反射され、光学軸方向が水平方向に対して約２２．５度に設定されたλ／４板１１２に導かれる。λ／４板１１２は、信号光の偏光状態をｐ偏光から円偏光に変換する。対物レンズ１１３は、信号光をサンプル容器１１４内の細胞１１５に対して集光して照射する。信号光の光スポットの位置は、スキャンユニット１０７によって光軸に垂直な平面内で走査される。
【００１８】
細胞１１５から反射した信号光は、対物レンズ１１３を再び通過し、λ／４板１１２よって偏光状態を円偏光からｓ偏光に変換され、往路と同一の光路をたどって偏光ビームスプリッタ１０４へ入射する。
【００１９】
λ／４板１１６は、光学軸方向が水平方向に対して約２２．５度に設定されている。λ／４板１１６は、参照光の偏光状態をｓ偏光から円偏光に変換する。参照光レンズ１１７は、参照光を参照光ミラー１１８上に集光して照射する。参照光ミラー１１８を反射した参照光は、再び参照光レンズ１１７を通過し、λ／４板１１６によって偏光状態を円偏光からｐ偏光に変換された後、偏光ビームスプリッタ１０４に入射する。
【００２０】
信号光と参照光は、偏光ビームスプリッタ１０４によって偏光が直交した状態で合波され、合成光が生成される。合成光は、干渉光学系１２６へ導かれる。干渉光学系１２６は、ハーフビームスプリッタ１１９、λ／２板１２０、λ／４板１２３、集光レンズ１２１と１２４、ウォラストンプリズム１２２と１２５、を備える。干渉光学系１２６へ入射した合成光は、ハーフビームスプリッタ１１９によって透過光と反射光に２分岐される。
【００２１】
ハーフビームスプリッタ１１９を透過した合成光は、光学軸が水平方向に対して約２２．５度に設定されたλ／２板１２０を透過した後、集光レンズ１２１によって集光され、ウォラストンプリズム１２２によって偏光分離される。これにより、互いに位相関係が１８０度異なる第１干渉光と第２干渉光が生成される。第１干渉光と第２干渉光は、電流差動型の光検出器１２７によって検出される。光検出器１２７は、それらの強度差に比例した差動出力信号１２９を出力する。
【００２２】
ハーフビームスプリッタ１１９を反射した合成光は、光学軸が水平方向に対して約４５度に設定されたλ／４板１２３を透過した後、集光レンズ１２４によって集光され、ウォラストンプリズム１２５によって偏光分離される。これにより、互いに位相関係が約１８０度異なる第３干渉光と第４干渉光が生成される。第３干渉光は、第１干渉光に対して位相が約９０度異なる。第３干渉光と第４干渉光は、電流差動型の光検出器１２８によって検出される。光検出器１２８は、それらの強度差に比例した差動出力信号１３０を出力する。
【００２３】
画像生成部１３１は差動出力信号１２９と１３０を受け取り、これらの信号に基づき細胞１１５の観察画像を生成する。表示部１３２は、その観察画像を表示する。
【００２４】
＜実施の形態１：細胞活性度の評価方法＞
以下では細胞活性度の評価について説明する。細胞内では様々な生体分子を輸送するために細胞質が流れるように運動していることが知られており（原形質流動）、この運動を反映して、細胞に対して照射された光の反射光強度がわずかに時間的に変化することが予想される。すなわち、反射光の時間変動の大きさと細胞内の運動の大きさ（細胞活性度）との間には相関があると考えられる。そこで本発明では、反射光の時間変化に基づき細胞活性度を表す画像を生成することとした。
【００２５】
図２は、光スポットを走査する方法の違いを説明する図である。細胞活性度の計測精度は、制御部１３４が光スポットを走査する方法により異なる。以下では従来の走査方法と比較しながら、本発明における光スポットの走査方法について説明する。
【００２６】
図２（ａ）は、従来の走査型顕微鏡において用いられる走査方法（以下では走査方法１と称する）を示す。走査方法１においては、光スポットを繰り返し走査方向（ｘ方向）にライン走査しながらｙ方向に一定速度で変位させることにより、測定領域内の各点に光スポットをほぼ１回ずつ通過させる。
【００２７】
図２（ｂ）は、本発明における走査方法（以下では走査方法２と称する）を示す。走査方法２は、後述するように走査方法１よりも高い時間分解能を得るためのものである。走査方法２においては、対象物を複数の測定領域に分割し、同じ測定領域において光スポットを繰り返し走査する。したがって光スポットは、各測定領域内の各点を複数回通過することになる。
【００２８】
図３は、観察画像が形成される過程を走査方法ごとに示す図である。図３（ａ）は走査方法１によって観察画像が形成される過程を示し、図３（ｂ）は走査方法２によって観察画像が形成される過程を示す。
【００２９】
走査方法１によって取得した画像に基づき、細胞の活性度を評価する場合について考える。ガルバノミラー１０５と１０６による光スポットの走査方向をそれぞれｘ方向とｙ方向、ガルバノミラー１０５の駆動周波数を５００Ｈｚ、画像のピクセル数を１００×１００ピクセルとする。画像を１枚取得するためにはｘ方向に少なくとも１００ライン分だけ光スポットを走査する必要がある。したがってこの場合の最短の画像取得時間（時間分解能）は約１００ｍｓである（１往復の走査で２ライン分取得することを前提とする）。
【００３０】
走査方法１によって例えば１００枚の画像を取得する場合、図３（ａ）に示すように１００ｍｓごとに１枚の画像が得られ、合計の測定時間は約１０ｓである。これら１００枚の画像から、測定領域の各点における信号のゆらぎの大きさに比例した輝度を持つ画像を生成する。この画像は細胞の活性度を反映していると考えられ、細胞の定量的は評価指標となり得る。しかしながら、細胞内小器官や生体分子の運動の時間スケールは数ｍｓのオーダであることが知られており、時間分解能１００ｍｓでは正確に細胞の活性度を評価することが困難である。
【００３１】
走査方法２を用いて、走査方法１と同じ条件下で、領域の分割数を１００とした場合（小領域が１ライン分に相当する場合）について考える。１ラインを１００回繰り返しライン走査すると、１ライン分の測定時間は１００ｍｓである。連続的に１００ライン分の走査を実施することにより画像１枚に相当するデータが得られ、合計の測定時間は１０ｓである（図３（ｂ））。
【００３２】
走査方法２の場合、測定領域内のある１点に着目すると、その点からの反射光は１ｍｓ以下の時間間隔で検出されている。すなわち、走査方法２を用いる場合の時間分解能は１ｍｓとなり、走査方法１を用いる場合よりも１００倍高い。これにより、数ｍｓオーダの細胞内の運動に由来する信号変動を捉えることができる。すなわち、細胞の数ｍｓオーダの時間変動を反射光の時間変動として捕捉し、観察画像上にその時間変動を反映することができる。これにより高精度に細胞品質を評価することができる。上記例で分割数を例えば５０とした場合には、小領域は２ライン分に相当し、時間分解能は２ｍｓ、合計の測定時間は５ｓとなる。
【００３３】
さらに本発明においては、入力部１３３によって走査方法１と走査方法２をユーザが切り替え可能とした。ユーザは、高フレームレートで画像を視認したい場合やそれほど高い時間分解能を要求しない場合などは走査方法１を用い、高い時間分解能を要求する場合は走査方法２を選択する。領域の分割数も入力部１３３を介してユーザが任意に選択することができる。
【００３４】
走査方法２は、本実施形態１の装置構成に限らず走査型共焦点顕微鏡やＯＣＴ（Ｏｐｔｉｃａｌ  Ｃｏｈｅｒｅｎｃｅ  Ｔｏｍｏｇｒａｐｈｙ）などのあらゆる走査型のイメージング装置に対して適用できる。一方、ＣＣＤ（Ｃｈａｒｇｅ  Ｃｏｕｐｌｅｄ  Ｄｅｖｉｃｅ）等のイメージセンサにサンプルの像を結像される結像型のイメージング装置においては、時間分解能はイメージセンサの性能によって制限されており、典型的には数十ｍｓ程度である。
【００３５】
細胞活性度を表す指標としては様々なものが考えられるが、代表的なものとして標準偏差、平均二乗変位、周波数成分などが挙げられる。標準偏差画像は以下の式から求められる。αｋ（ｎ，ｍ）、μ（ｎ，ｍ）、ＳＤ（ｎ，ｍ）はそれぞれｋ番目に取得された画像、平均化画像、標準偏差画像のピクセル座標（ｎ，ｍ）における輝度、Ｎは取得した画像の枚数である。標準偏差画像は信号の揺らぎの積算値であり、あらゆる周波数成分を含んだ活性度を表す。
【００３６】
【数１】
2020086204.tif 000003
【００３７】
【数２】
2020086204.tif 000004
【００３８】
平均二乗変位ＭＳＤｌ（ｎ，ｍ）は以下の式から求められる。ｌはＮ以下の任意の自然数であり、注目する運動の時間スケールに応じて選択されるものである。ｌが小さいほど、早い周波数性成分に着目することになる。
【００３９】
【数３】
2020086204.tif 000005
【００４０】
周波数成分画像ＦＦＴｌ（ｎ，ｍ）は、下記式にしたがって各ピクセルをフーリエ変換することにより求められる。周波数成分画像は複素数成分を有するので、表示部１３２は実部と虚部を別々に表示するか、または絶対値を表示する。
【００４１】
【数４】
2020086204.tif 000006
【００４２】
図４は、細胞の通常画像と周波数成分画像の模式図である。通常画像においては反射率が高い部分が輝度の高い画像となるのに対して、周波数成分画像においては信号が変動する部分の輝度が高くなるので、これらは互いに異なるコントラストを持つ画像となる。また、細胞の部位によって細胞内の運動の周波数が異なることも考えられ、周波数成分ごとにもコントラストは変わると思われる。さらに、図４に示すように細胞状態によって周波数画像は異なると考えられるので、これらの画像に基づいて細胞状態の定量評価が実現できる可能性がある。
【００４３】
＜実施の形態１：空間分解能および信号強度の説明＞
本実施形態１に係る光画像計測装置１００の光軸方向（ｚ方向）の空間分解能および信号強度について説明する。本実施形態１の光画像計測装置１００において、信号光に含まれる対物レンズ１１３の焦点以外からの反射光成分はデフォーカス収差を有しており、参照光と波面形状が一致しないので、参照光と空間的に一様に干渉せず、検出器の受光面上で干渉縞が多数形成される。このような干渉縞が形成されると、検出される干渉光の強度を受光部面内で積分した値は、単に信号光と参照光の強度和とほぼ等しくなるので、対物レンズ１１３の焦点以外からの反射光成分に対応する差動出力信号１２９と１３０の強度は小さくなる。このような原理により、対物レンズ１１３の焦点以外からの反射光成分は実効的に参照光と干渉しなくなり、対物レンズ１１３の焦点からの反射光成分だけが選択的に検出され、高いｚ分解能が達成される。
【００４４】
ｚ方向の応答関数の半値全幅により定義されるｚ分解能は、対物レンズ１１３の開口数ＮＡと、レーザ光の波長λによって決まり、λ／ＮＡ２に比例する。一般的に生体イメージングで使用される光の波長は、ヘモグロビンにも水にも吸収されにくい６００ｎｍから１３００ｎｍ程度である。例えば対物レンズの開口数を０．４とすると、波長６００ｎｍ〜１３００ｎｍでのｚ方向の空間分解能は約３．３μｍ〜約７．２μｍとなる。
【００４５】
このように、本発明に係る光画像計測装置１００は高いｚ分解能を有しているので、再生医療における細胞シートやスフェロイドのような３次元組織の内部を非侵襲的に評価することが可能である。
【００４６】
検出される信号の強度は、信号光電場の振幅と参照光電場の振幅の積に比例している。このことから、小さな信号光パワーでも、参照光パワーを大きくすることにより検出感度を向上することが可能であるため、信号光によるサンプルへのダメージを抑制しつつ、高感度な反射光検出が可能である。
【００４７】
＜実施の形態１：光学系の機能＞
本実施形態１に係る光画像計測装置１００の光学系の機能について数式を用いて説明する。干渉光学系１２６へ入射する時点での合成光のジョーンズベクトルを、対物レンズ１１３の焦点から反射した信号光の複素振幅Ｅsigと参照光の複素振幅Ｅrefを用いて下記式５により表す。
【００４８】
【数５】
2020086204.tif 000007
【００４９】
ハーフビームスプリッタ１１９とλ／２板１２０を透過した後の合成光のジョーンズベクトルは下記式６で表される。
【００５０】
【数６】
2020086204.tif 000008
【００５１】
式６で示される合成光は、ウォラストンプリズム１２２によってｐ偏光成分とｓ偏光成分に２分岐されたのち、電流差動型の光検出器１２７によって差動検出される。このとき光検出器１２７から出力される差動出力信号１２９（記号Ｉで表す）は下記式７で表される。Ａsig（ｒｅｆ）、θｓｉｇ（ｒｅｆ）は、それぞれ複素数Ｅsig（ｒｅｆ）を極座標表示で表した際の振幅と位相である。ｄは光検出器の受光部の半径である。積分領域は光検出器１２７の受光部の面内である。１／πｄ２は計算を簡略化するために導入した因子である。ここでは信号光と参照光は平坦な強度分布および位相分布を持つものとして積分を実行した。
【００５２】
【数７】
2020086204.tif 000009
【００５３】
ハーフビームスプリッタ１１９で反射され、さらにλ／４板１２３を透過した後の合成光のジョーンズベクトルは、下記式８で表される。
【００５４】
【数８】
2020086204.tif 000010
【００５５】
式８で示される合成光は、ウォラストンプリズム１２５によってｐ偏光成分とｓ偏光成分に２分岐された後、電流差動型の光検出器１２８によって差動検出される。このとき光検出器１２８から出力される差動出力信号１３０（記号Ｑで表す）は下記式９で表される。
【００５６】
【数９】
2020086204.tif 000011
【００５７】
画像生成部１３１は、式７と式９で表わされる信号に対して、下記式１０で表される演算を実施することにより、信号光と参照光の位相差に依存しない、信号光の強度に比例した反射信号強度Ｓを生成する。
【００５８】
【数１０】
2020086204.tif 000012
【００５９】
本実施形態１においては、干渉光学系１２６において４つの干渉光を生成することとしたが、位相に依存しない信号を取得する上では、干渉光の数は３つ以上であればいくつでもかまわない。
【００６０】
＜実施の形態１：まとめ＞
本実施形態１に係る光画像計測装置１００は、対象物を複数の測定領域に分割し、各測定領域において光スポットを繰り返し走査することにより得られた光強度の時系列データを用いて、各測定領域における対象物の時間変動を反映した観察画像を生成する。これにより、例えば細胞内小器官の運動のように数ｍｓオーダで変動する動きを評価することができる。したがって本実施形態１によれば、観察画像を介して細胞活性度を評価することができる。
【００６１】
＜実施の形態２＞
図５は、本発明の実施形態２に係る光画像計測装置１００の構成を示す模式図である。図１に示した部品と同じものには同一の符号を付し、その説明を省略する。本実施形態２は、信号光の集光位置を走査するためにアクチュエータ５０１を用いている点において実施形態１と異なる。アクチュエータ５０１としては、例えば光ディスク記録再生用の光ピックアップで用いられている電磁アクチュエータや、圧電アクチュエータなどを用いることができる。本実施形態２においては、制御部１３４からの指示にしたがってアクチュエータ５０１が対物レンズ１１３の位置を駆動することにより、信号光の集光位置を２次元的に走査する。このような構成とすることにより、ガルバノミラーやビームエキスパンダ等の高額な部品が不要となり、装置を安価に提供することができるとともに、光路長を短くできるので装置を小型化できる。
【００６２】
アクチュエータ５０１として電磁アクチュエータを用いる場合、数百μｍ程度の幅でスポット走査する際の駆動周波数は最大１００Ｈｚ程度である。したがって本実施形態２において、走査方法２を用いた場合の時間分解能は１０ｍｓとなる。これは、実施形態１の装置構成において走査方法１を用いる場合よりも１０倍高い時間分解能である。上記以外の装置動作は実施形態１と同じであるため、ここでは説明を省略する。本実施形態２においては安価で小型な構成で従来よりも高い時間分解能を達成し、高精度に細胞の活性度を評価することができる。
【００６３】
＜実施の形態３＞
図６は、本発明の実施形態３に係る光画像計測装置１００の構成を示す模式図である。図１に示した部品と同じものには同一の符号を付し、その説明を省略する。本実施形態３は、サンプルからの反射光ではなく透過光に基づき細胞の活性度を評価している点において実施形態１とは異なる。
【００６４】
光源６０１から出射された光はコリメートレンズ６０２によって平行光に変換され、ガルバノミラー６０３と６０４からなるスキャンユニット６０５に入射する。スキャンユニット６０５は、ユーザが入力部１３３に入力した内容に基づいて制御部１３４によって制御され、光の角度を変化させる。スキャンユニット６０５を通過した信号光は、走査レンズ６０６とチューブレンズ６０７から成るビームエキスパンダ６０８によってビーム径を拡大された後に、ミラー６０９によって反射され、対物レンズ６１０によって培養容器６１１内の細胞６１２に集光して照射される。光スポットの位置は、スキャンユニット６０５によって光軸に垂直な平面内で走査される。
【００６５】
細胞６１２を透過した光は、対物レンズ６１３によって平行光に変換される。平行光となった光は、ミラー６１４を反射してチューブレンズ６１５と走査レンズ６１６からなるビームエキスパンダ６１７に入射する。ビームエキスパンダ６１７を通過した光は、ガルバノミラー６１８と６１９からなるスキャンユニット６２０に入射する。スキャンユニット６２０は、制御部１３４によってスキャンユニット６０５と同期して制御されており、スキャンユニット６０５によって生じた光の光軸傾きがスキャンユニット６２０によって相殺される。結果として、スキャンユニット６２０を通過した後の光の光軸は常に一定の角度を保つ。
【００６６】
スキャンユニット６２０を通過した後の光は、ミラー６２１を反射して集光レンズ６２２に導かれる。光は集光レンズ６２２によって集光され、焦点位置に配置されたピンホール６２３を通過したのちに、検出器６２４によって検出される。検出器６２４からは、光の強度に比例した電気信号６２５が出力され、画像生成部１３１に入力される。上記以外の装置の動作は実施形態１と同一であるため、ここでは説明を省略する。
【００６７】
本実施形態３においては、透過光の時間的変動に基づき細胞の活性度を評価することができる。これにより、実施形態１の反射光検出に基づく方法とは異なる細胞に関する情報を得ることができる。
【００６８】
＜本発明の変形例について＞
本発明は上記した実施例に限定されるものではなく、様々な変形例が含まれる。上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００６９】
以上の実施形態においては、測定対象として細胞を例に挙げて説明したが、本発明の測定対象は細胞に限定されない。ヒトや動物から摘出した組織のｉｎ  ｖｉｔｒｏ観察、皮膚のｉｎ  ｖｉｖｏ観察、生体分子のダイナミクスの評価など、光をある程度透過・反射する物質の動きを分析するあらゆる用途に適用可能である。
【００７０】
以上の実施形態においては、繰り返しライン走査の周波数は５００Ｈｚとしたが、この値はどのような時間スケールの運動を評価対象とするかに応じて異なる。細胞内小器官の運動の時間スケールは数ｍｓ程度といわれているので、細胞を評価する場合にはそれに対応した周波数（数百〜５００Ｈｚ）以上とすることが望ましい。少なくとも１００Ｈｚ以上とすることにより、既存の技術では評価困難であった高速（５ｍｓ以下）の運動を捉えることが可能となる。
【符号の説明】
【００７１】
１０１：光源
１０２：コリメートレンズ
１０４：偏光ビームスプリッタ
１０５、１０６：ガルバノミラー
１０３、１２０：λ／２板
１１６、１１２、１２３：λ／４板
１１３：対物レンズ
１１４：サンプル容器
１１５：細胞
１１７：参照光レンズ
１１９：ハーフビームスプリッタ
１２１、１２４：集光レンズ
１２２、１２５：ウォラストンプリズム
１２６：干渉光学系
１２７、１２８：電流差動型の光検出器
１３１：画像生成部
１３２：表示部
１３３：入力部
１３４：制御部
【図１】
2020086204.tif 000013
【図２】
2020086204.tif 000014
【図３】
2020086204.tif 000015
【図４】
2020086204.tif 000016
【図５】
2020086204.tif 000017
【図６】
2020086204.tif 000018